(57)【特許請求の範囲】
【請求項１】
イヤホンステータスを検出するために端末によって使用される方法であって、前記方法が、端末に適用され、前記端末が、プロセッサと、イヤホンコネクタと、第1の検出ユニットとを備え、前記イヤホンコネクタが、第1のオーディオ出力端と、第2のオーディオ出力端と、第3のオーディオ出力端とを備え、前記第1のオーディオ出力端が、外部接続される第1のイヤホンの第1のオーディオ入力端に接続されるように構成され、前記第2のオーディオ出力端が、外部接続される第2のイヤホンの第2のオーディオ入力端に接続されるように構成され、前記第3のオーディオ出力端が、前記第1のイヤホンの第2のオーディオ入力端および前記第2のイヤホンの第1のオーディオ入力端に接続されるように構成され、前記方法が、
前記プロセッサによって、前記第2のイヤホンにオーディオ信号を出力するための経路を無効にするステップと、
前記プロセッサが前記第2のイヤホンに前記オーディオ信号を出力するための前記経路を無効にした後、前記第1の検出ユニットによって、前記第1のオーディオ出力端の電気信号および前記第3のオーディオ出力端の電気信号を検出するステップと、
前記第1の検出ユニットによって、前記第1のオーディオ信号端の前記電気信号および前記第3のオーディオ信号端の前記電気信号に従って前記第1のイヤホンの低周波共振点の第1の周波数値を求めるステップと、
前記第1の検出ユニットによって、前記第1の周波数値に従って、前記第1のイヤホンが位置内状態にあるかどうかを判定するステップと
を含む、方法。
【請求項２】
前記第1のイヤホンが位置外状態にある場合に、前記プロセッサによって、前記第1のイヤホンへのオーディオ出力を停止するステップをさらに含む、請求項1に記載の方法。
【請求項３】
前記プロセッサによって、前記第2のイヤホンにオーディオ信号を出力するための経路を無効にする前記ステップの前に、前記方法が、
前記プロセッサによって、オーディオ信号が前記第1のイヤホンおよび前記第2のイヤホンに出力されているかどうかを判定するステップと、
オーディオ信号が前記第1のイヤホンおよび前記第2のイヤホンに出力されている場合に、前記プロセッサによって、前記第2のイヤホンにオーディオ信号を出力するための経路を無効にする前記ステップを実行するステップと
をさらに含む、請求項1または2に記載の方法。
【請求項４】
前記プロセッサが、オーディオ信号が前記第1のイヤホンおよび前記第2のイヤホンに出力されていると判定した後、前記プロセッサによって、前記第2のイヤホンにオーディオ信号を出力するための経路を無効にする前記ステップの前に、前記方法が、
前記プロセッサによって、前記オーディオ信号のオーディオソースが切り替えられているかどうかを判定するステップと、
前記オーディオ信号の前記オーディオソースが切り替えられている場合に、前記プロセッサによって、前記第2のイヤホンにオーディオ信号を出力するための経路を無効にする前記ステップを実行するステップと
をさらに含む、請求項3に記載の方法。
【請求項５】
前記端末が、第2の検出ユニットをさらに備え、前記方法が、
前記プロセッサによって、前記第1のイヤホンにオーディオ信号を出力するための経路を無効にするステップと、
前記第2の検出ユニットによって、前記第2のオーディオ出力端の電気信号および前記第3のオーディオ出力端の電気信号を検出するステップと、
前記第2の検出ユニットによって、前記第2のオーディオ信号端の前記電気信号および前記第3のオーディオ信号端の前記電気信号に従って前記第2のイヤホンの前方音響空洞の低周波共振点の第2の周波数値を求めるステップと、
前記第2の検出ユニットによって、前記第2の周波数値に従って、前記第2のイヤホンが位置内状態にあるかどうかを判定するステップと
をさらに含む、請求項1から4のいずれか一項に記載の方法。
【請求項６】
前記第2のイヤホンが位置外状態にある場合に、前記プロセッサによって、前記第2のイヤホンへのオーディオ出力を停止するステップをさらに含む、請求項5に記載の方法。
【請求項７】
前記端末が、前記第1のイヤホンにオーディオ信号を出力するように構成された第1のオーディオデコーダと、前記第2のイヤホンにオーディオ信号を出力するように構成された第2のオーディオデコーダと、切替スイッチとをさらに備え、前記第1のオーディオデコーダが、第4のオーディオ出力端と、第5のオーディオ出力端と、GND端子とを備え、前記第2のオーディオデコーダが、第6のオーディオ出力端と、第7のオーディオ出力端と、GND端子とを備え、前記第4のオーディオ出力端が、前記第1のオーディオ出力端に接続され、前記第7のオーディオ出力端が、前記第2のオーディオ出力端に接続され、
前記切替スイッチが、第1の入力端と、第2の入力端と、出力端と、制御端とを備え、前記切替スイッチが、前記制御端によって入力される制御信号の制御下で、前記切替スイッチの前記出力端と、前記切替スイッチの前記第1の入力端および前記第2の入力端のいずれかとを接続するように構成され、
前記第5のオーディオ出力端が、前記切替スイッチの前記第1の入力端に接続され、前記第1のデコーダの前記GND端子および前記第2のデコーダの前記GND端子が、前記切替スイッチの前記第2の入力端に接続され、前記切替スイッチの前記出力端が、前記第3のオーディオ出力端に接続され、
前記プロセッサによって、前記第2のイヤホンにオーディオ信号を出力するための経路を無効にする前記ステップが、前記プロセッサによって、第1の制御信号を前記切替スイッチの前記制御端に入力して、前記切替スイッチの前記第1の入力端と前記切替スイッチの前記出力端との互いの接続を制御するステップを含む、請求項1から6のいずれか一項に記載の方法。
【請求項８】
前記切替スイッチが、第3の入力端をさらに備え、前記切替スイッチが、前記制御端によって入力される制御信号の制御下で、前記切替スイッチの前記出力端と、前記切替スイッチの前記第1の入力端、前記第2の入力端、および前記第3の入力端のうちの1つとを接続するように特に構成され、前記第6のオーディオ出力端が、前記切替スイッチの前記第3の入力端に接続され、
前記プロセッサによって、前記第1のイヤホンにオーディオ信号を出力するための経路を無効にする前記ステップが、前記プロセッサによって、第2の制御信号を前記切替スイッチの前記制御端に入力して、前記切替スイッチの前記第3の入力端と前記切替スイッチの前記出力端との互いの接続を制御するステップを含む、請求項7に記載の方法。
【請求項９】
前記端末が、前記第1のイヤホンにオーディオ信号を出力するように構成された第1のオーディオデコーダをさらに備え、
前記プロセッサによって、前記第1のイヤホンにオーディオ信号を出力するための経路を無効にする前記ステップが、前記プロセッサによって、前記第1のオーディオデコーダを制御して無効にするステップを含む、請求項1から6のいずれか一項に記載の方法。
【請求項１０】
前記端末が、前記第2のイヤホンにオーディオ信号を出力するように構成された第2のオーディオデコーダをさらに備え、
前記プロセッサによって、前記第2のイヤホンにオーディオ信号を出力するための経路を無効にする前記ステップが、前記プロセッサによって、前記第2のオーディオデコーダを制御して無効にするステップを含む、請求項9に記載の方法。
【請求項１１】
前記第1のイヤホンまたは前記第2のイヤホンが位置外状態にある場合に、前記プロセッサによって、前記第1のイヤホンまたは前記第2のイヤホンへのオーディオ出力を停止する前記ステップが、
前記第1のイヤホンまたは前記第2のイヤホンが位置外状態にある場合に、前記プロセッサによって、予め設定されたアプリケーションプログラムリストに現在実行中のアプリケーションプログラムが含まれているかどうかを判定する検索を実行するステップと、
前記予め設定されたアプリケーションプログラムリストに前記現在実行中のアプリケーションプログラムが含まれている場合に、前記現在実行中のアプリケーションプログラムを一時停止するステップと
を含む、請求項1から10のいずれか一項に記載の方法。
【請求項１２】
前記予め設定されたアプリケーションプログラムリストが、ゲームアプリケーションプログラムまたはビデオアプリケーションプログラムを含む、請求項11に記載の方法。
【請求項１３】
前記第1のイヤホンまたは前記第2のイヤホンが位置外状態にある場合に、前記プロセッサによって、前記第1のイヤホンまたは前記第2のイヤホンへのオーディオ出力を停止する前記ステップが、
前記第1のイヤホンまたは前記第2のイヤホンが位置外状態にある場合に、前記プロセッサによって、前記端末が呼状態にあるかどうかを検出するステップと、
前記端末が呼状態にある場合に、呼を終了するか、または呼をスピーカモードに切り替えるステップと
を含む、請求項1から10のいずれか一項に記載の方法。
【請求項１４】
端末であって、前記端末が、プロセッサと、イヤホンコネクタと、第1の検出ユニットと、第1のオーディオデコーダと、第2のオーディオデコーダとを備え、前記イヤホンコネクタが、第1のオーディオ出力端と、第2のオーディオ出力端と、第3のオーディオ出力端とを備え、前記第1のオーディオ出力端が、外部接続される第1のイヤホンの第1のオーディオ入力端に接続されるように構成され、前記第2のオーディオ出力端が、外部接続される第2のイヤホンの第2のオーディオ入力端に接続されるように構成され、前記第3のオーディオ出力端が、前記第1のイヤホンの第2のオーディオ入力端および前記第2のイヤホンの第1のオーディオ入力端に接続されるように構成され、前記第1の検出ユニットが、前記第1のオーディオ出力端および前記第3のオーディオ出力端に別々に接続され、前記第1のオーディオデコーダが、前記第1のオーディオ出力端および前記第2のオーディオ出力端を使用して前記第1のイヤホンにオーディオ信号を出力し、前記第2のオーディオデコーダが、前記第2のイヤホンにオーディオ信号を出力するために前記第2のオーディオ出力端および前記第3のオーディオ出力端に接続され、前記端末が、
前記第2のイヤホンにオーディオ信号を出力するための経路を無効にするように構成された前記プロセッサと、
前記第1のオーディオ出力端の電気信号および前記第3のオーディオ出力端の電気信号を検出するように構成された前記第1の検出ユニットと
を備え、
前記第1の検出ユニットが、前記第1のオーディオ信号端の前記電気信号および前記第3のオーディオ信号端の前記電気信号に従って前記第1のイヤホンの低周波共振点の周波数値を求め、前記低周波共振点の前記周波数値に従って、前記第1のイヤホンが位置内状態にあるかどうかを判定するようにさらに構成されている、端末。
【請求項１５】
前記プロセッサが、前記第1のイヤホンが位置外状態にある場合に、前記第1のイヤホンへのオーディオ出力を停止するようにさらに構成されている、請求項14に記載の端末。
【請求項１６】
前記プロセッサが、オーディオ信号が前記第1のイヤホンおよび前記第2のイヤホンに出力されているかどうかを判定するようにさらに構成され、
前記プロセッサが、前記第2のイヤホンにオーディオ信号を出力するための経路を無効にするように構成されていることが、前記プロセッサが、オーディオ信号が前記第1のイヤホンおよび前記第2のイヤホンに出力されている場合に、前記第2のイヤホンに前記オーディオ信号を出力するための前記経路を無効にするように構成されていることである、
請求項14または15に記載の端末。
【請求項１７】
前記プロセッサが、前記オーディオ信号のオーディオソースが切り替えられているかどうかを判定するようにさらに構成され、
前記プロセッサが、前記第2のイヤホンにオーディオ信号を出力するための経路を無効にするように構成されていることが、前記プロセッサが、オーディオ信号が前記第1のイヤホンおよび前記第2のイヤホンに出力されており、前記オーディオ信号の前記オーディオソースが切り替えられている場合に、前記プロセッサによって、前記第2のイヤホンに前記オーディオ信号を出力するための前記経路を無効にするように構成されていることである、
請求項16に記載の端末。
【請求項１８】
前記端末が、第2の検出ユニットをさらに備え、前記第2の検出ユニットが、前記第2のオーディオ出力端および前記第3のオーディオ出力端に別々に接続され、
前記プロセッサが、前記第1のイヤホンにオーディオ信号を出力するための経路を無効にするようにさらに構成され、
前記第2の検出ユニットが、前記プロセッサが前記第1のイヤホンに前記オーディオ信号を出力するための前記経路を無効にした後、前記第2のオーディオ出力端の電気信号および前記第3のオーディオ出力端の電気信号を検出するように構成され、
前記第2の検出ユニットが、前記第2のオーディオ信号端の前記電気信号および前記第3のオーディオ信号端の前記電気信号に従って前記第2のイヤホンの低周波共振点の周波数値を求め、前記低周波共振点の前記周波数値に従って、前記第2のイヤホンが位置内状態にあるかどうかを判定するようにさらに構成されている、請求項14から17のいずれか一項に記載の端末。
【請求項１９】
前記プロセッサが、前記第2のイヤホンが位置外状態にある場合に、前記第2のイヤホンへのオーディオ出力を停止するようにさらに構成されている、請求項18に記載の端末。
【請求項２０】
前記端末が、切替スイッチをさらに備え、前記第1のオーディオデコーダが、第4のオーディオ出力端と、第5のオーディオ出力端と、GND端子とを備え、前記第2のオーディオデコーダが、第6のオーディオ出力端と、第7のオーディオ出力端と、GND端子とを備え、前記第4のオーディオ出力端が、前記第1のオーディオ出力端に接続され、前記第7のオーディオ出力端が、前記第2のオーディオ出力端に接続され、
前記切替スイッチが、第1の入力端と、第2の入力端と、出力端と、制御端とを備え、前記切替スイッチが、前記制御端によって入力される制御信号の制御下で、前記切替スイッチの前記出力端と、前記切替スイッチの前記第1の入力端および前記第2の入力端のいずれかとを接続するように構成され、
前記第5のオーディオ出力端が、前記切替スイッチの前記第1の入力端に接続され、前記第1のデコーダの前記GND端子および前記第2のデコーダの前記GND端子が、前記切替スイッチの前記第2の入力端に接続され、前記切替スイッチの前記出力端が、前記第3のオーディオ出力端に接続され、
前記プロセッサが、第1の制御信号を前記切替スイッチの前記制御端に入力して、前記切替スイッチの前記第1の入力端と前記切替スイッチの前記出力端との互いの接続を制御するようにさらに構成されている、請求項14から19のいずれか一項に記載の端末。
【請求項２１】
前記切替スイッチが、第3の入力端をさらに備え、前記切替スイッチが、前記制御端によって入力される制御信号の制御下で、前記切替スイッチの前記出力端と、前記切替スイッチの前記第1の入力端、前記第2の入力端、および前記第3の入力端のうちの1つとを接続するように特に構成され、前記第6のオーディオ出力端が、前記切替スイッチの前記第3の入力端に接続され、
前記プロセッサが、第2の制御信号を前記切替スイッチの前記制御端に入力して、前記切替スイッチの前記第3の入力端と前記切替スイッチの前記出力端との互いの接続を制御するようにさらに構成されている、請求項20に記載の端末。
【請求項２２】
前記プロセッサが、前記第1のオーディオデコーダを制御して無効にするようにさらに構成されている、請求項14から19のいずれか一項に記載の端末。
【請求項２３】
前記プロセッサが、前記第2のオーディオデコーダを制御して無効にするようにさらに構成されている、請求項22に記載の端末。
【請求項２４】
前記プロセッサが、前記第1のイヤホンが位置外状態にある場合に、前記第1のイヤホンへのオーディオ出力を停止するようにさらに構成されていることが、前記プロセッサが、
前記第1のイヤホンまたは前記第2のイヤホンが位置外状態にある場合に、予め設定されたアプリケーションプログラムリストに現在実行中のアプリケーションプログラムが含まれているかどうかを判定する検索を実行し、
前記予め設定されたアプリケーションプログラムリストに前記現在実行中のアプリケーションプログラムが含まれている場合に、前記現在実行中のアプリケーションプログラムを一時停止するようにさらに構成されていることである、請求項14から23のいずれか一項に記載の端末。
【請求項２５】
前記予め設定されたアプリケーションプログラムリストが、ゲームアプリケーションプログラムまたはビデオアプリケーションプログラムを含む、請求項24に記載の端末。
【請求項２６】
前記プロセッサが、前記第1のイヤホンが位置外状態にある場合に、前記第1のイヤホンへのオーディオ出力を停止するようにさらに構成されていることが、前記プロセッサが、
前記第1のイヤホンまたは前記第2のイヤホンが位置外状態にある場合に、前記端末が呼状態にあるかどうかを検出し、
前記端末が呼状態にある場合に、呼を終了するか、または呼をスピーカモードに切り替えるようにさらに構成されていることである、請求項14から23のいずれか一項に記載の端末。
【発明の詳細な説明】
【技術分野】
【０００１】
本出願は、2015年3月27日に中国特許庁に提出された、「イヤホンステータス検出方法および端末」と題する中国特許出願第201510142549．9号の優先権を主張し、また、その全体は、参照により本明細書に組み込まれる。
【０００２】
本発明は、検出技術に関し、具体的には、イヤホンステータス検出方法および端末に関する。
【背景技術】
【０００３】
現在、モバイル機器は、MP3およびMP4などの従来のオーディオおよびビデオ再生機器から徐々に置き換わってきており、消費者が音楽およびビデオを再生する主要な選択肢となっている。しかしながら、モバイル機器の設計が小型化、軽量化、および薄型化されるにつれて、低消費電力化の設計要求が高くなっている。したがって、消費電力を低減するための複数のポリシーが浮上している。例えば、消費電力低減の目的を達成するために、イヤホンが位置内状態にある（イヤホンが位置内状態にあるとは、イヤホンが人の耳に装着されている状態を指す）かどうかに応じて、異なるソフトウェアポリシーが選択される。
【０００４】
従来技術では、イヤホンが位置内状態にあるかどうかは、イヤホンに内蔵型の静電容量センサを設けることによって検出される。イヤホンが人の耳に近づくと、人の耳は、静電容量センサの静電容量を変化させる。イヤホンと人の耳との間の距離が短くなるにつれて、静電容量センサの静電容量は大きくなる。人の耳がイヤホンに直接接触すると、静電容量センサの静電容量は最大値に達する。プロセッサは、静電容量センサによって送信される静電容量を使用してイヤホンが所定位置にあるかどうかを判定する。
【０００５】
上記の解決策では、イヤホンに内蔵型の静電容量センサを設ける必要がある。したがって、追加的に追加されるハードウェアは、イヤホンのコストを増加させ、イヤホンの回路設計の複雑度を増加させる。このため、イヤホンの位置内状態を簡単かつ迅速に検出する方法は、緊急に解決すべき問題である。
【発明の概要】
【０００６】
そこで、本発明の実施形態は、イヤホンステータスを簡単かつ迅速に検出するために、イヤホンステータスを検出するために端末によって使用される方法および端末を提供する。
【課題を解決するための手段】
【０００７】
第1の態様によれば、本発明の一実施形態は、イヤホンステータスを検出するために端末によって使用される方法であって、方法が、端末に適用され、端末が、プロセッサと、イヤホンコネクタと、第1の検出ユニットとを含み、イヤホンコネクタが、第1のオーディオ出力端と、第2のオーディオ出力端と、第3のオーディオ出力端とを含み、第1のオーディオ出力端が、外部接続される第1のイヤホンの第1のオーディオ入力端に接続されるように構成され、第2のオーディオ出力端が、外部接続される第2のイヤホンの第2のオーディオ入力端に接続されるように構成され、第3のオーディオ出力端が、第1のイヤホンの第2のオーディオ入力端および第2のイヤホンの第1のオーディオ入力端に接続されるように構成され、方法が、プロセッサによって、第2のイヤホンにオーディオ信号を出力するための経路を無効にするステップと、プロセッサが第2のイヤホンにオーディオ信号を出力するための経路を無効にした後、第1の検出ユニットによって、第1のオーディオ出力端の電気信号および第3のオーディオ出力端の電気信号を検出するステップと、第1の検出ユニットによって、第1のオーディオ信号端の電気信号および第3のオーディオ信号端の電気信号に従って第1のイヤホンの低周波共振点の第1の周波数値を求めるステップと、第1の検出ユニットによって、第1の周波数値に従って、第1のイヤホンが位置内状態にあるかどうかを判定するステップとを含む、方法を提供する。
【０００８】
第1の態様の第1の可能な実施態様では、方法は、第1のイヤホンが位置外状態（out−of−position state）にある場合に、プロセッサによって、第1のイヤホンへのオーディオ出力を停止するステップをさらに含む。
【０００９】
第1の態様または第1の態様の第1の可能な実施態様に関連して、第1の態様の第2の可能な実施態様では、プロセッサによって、第2のイヤホンにオーディオ信号を出力するための経路を無効にするステップの前に、方法は、プロセッサによって、オーディオ信号が第1のイヤホンおよび第2のイヤホンに出力されているかどうかを判定するステップと、オーディオ信号が第1のイヤホンおよび第2のイヤホンに出力されている場合に、プロセッサによって、第2のイヤホンにオーディオ信号を出力するための経路を無効にするステップを実行するステップとをさらに含む。
【００１０】
第1の態様の第2の可能な実施態様によると、第1の態様の第3の可能な実施態様では、プロセッサが、オーディオ信号が第1のイヤホンおよび第2のイヤホンに出力されていると判定した後、プロセッサによって、第2のイヤホンにオーディオ信号を出力するための経路を無効にするステップの前に、方法は、プロセッサによって、オーディオ信号のオーディオソースが切り替えられているかどうかを判定するステップと、オーディオ信号のオーディオソースが切り替えられている場合に、プロセッサによって、第2のイヤホンにオーディオ信号を出力するための経路を無効にするステップを実行するステップとをさらに含む。
【００１１】
第1の態様のいずれかの可能な実施態様によると、第1の態様の第4の可能な実施態様では、端末は、第2の検出ユニットをさらに含み、方法は、プロセッサによって、第1のイヤホンにオーディオ信号を出力するための経路を無効にするステップと、第2の検出ユニットによって、第2のオーディオ出力端の電気信号および第3のオーディオ出力端の電気信号を検出するステップと、第2の検出ユニットによって、第2のオーディオ信号端の電気信号および第3のオーディオ信号端の電気信号に従って第2のイヤホンの前方音響空洞の低周波共振点の第2の周波数値を求めるステップと、第2の検出ユニットによって、第2の周波数値に従って、第2のイヤホンが位置内状態にあるかどうかを判定するステップとをさらに含む。
【００１２】
第1の態様の第4の可能な実施態様によると、第1の態様の第5の可能な実施態様では、方法は、第2のイヤホンが位置外状態にある場合に、プロセッサによって、第2のイヤホンへのオーディオ出力を停止するステップをさらに含む。
【００１３】
第1の態様のいずれかの可能な実施態様によると、第1の態様の第6の可能な実施態様では、端末は、第1のイヤホンにオーディオ信号を出力するように構成された第1のオーディオデコーダと、第2のイヤホンにオーディオ信号を出力するように構成された第2のオーディオデコーダと、切替スイッチとをさらに含み、第1のオーディオデコーダは、第4のオーディオ出力端と、第5のオーディオ出力端と、GND端子とを含み、第2のオーディオデコーダは、第6のオーディオ出力端と、第7のオーディオ出力端と、GND端子とを含み、第4のオーディオ出力端は、第1のオーディオ出力端に接続され、第7のオーディオ出力端は、第2のオーディオ出力端に接続され、切替スイッチは、第1の入力端と、第2の入力端と、出力端と、制御端とを含み、切替スイッチは、制御端によって入力される制御信号の制御下で、切替スイッチの出力端と、切替スイッチの第1の入力端および第2の入力端のいずれかとを接続するように構成され、第5のオーディオ出力端は、切替スイッチの第1の入力端に接続され、第1のデコーダのGND端子および第2のデコーダのGND端子は、切替スイッチの第2の入力端に接続され、切替スイッチの出力端は、第3のオーディオ出力端に接続され、プロセッサによって、第2のイヤホンにオーディオ信号を出力するための経路を無効にするステップは、プロセッサによって、第1の制御信号を切替スイッチの制御端に入力して、切替スイッチの第1の入力端と切替スイッチの出力端との互いの接続を制御するステップを含む。
【００１４】
第1の態様の第6の可能な実施態様によると、第1の態様の第7の可能な実施態様では、切替スイッチは、第3の入力端をさらに含み、切替スイッチは、制御端によって入力される制御信号の制御下で、切替スイッチの出力端と、切替スイッチの第1の入力端、第2の入力端、および第3の入力端のうちの1つとを接続するように特に構成され、第6のオーディオ出力端は、切替スイッチの第3の入力端に接続され、プロセッサによって、第1のイヤホンにオーディオ信号を出力するための経路を無効にするステップは、プロセッサによって、第2の制御信号を切替スイッチの制御端に入力して、切替スイッチの第3の入力端と切替スイッチの出力端との互いの接続を制御するステップを含む。
【００１５】
第1の態様のいずれかの可能な実施態様によると、第1の態様の第8の可能な実施態様では、端末は、第1のイヤホンにオーディオ信号を出力するように構成された第1のオーディオデコーダをさらに含み、プロセッサによって、第1のイヤホンにオーディオ信号を出力するための経路を無効にするステップは、プロセッサによって、第1のオーディオデコーダを制御して無効にするステップを含む。
【００１６】
第1の態様の第8の可能な実施態様によると、第1の態様の第9の可能な実施態様では、端末は、第2のイヤホンにオーディオ信号を出力するように構成された第2のオーディオデコーダをさらに含み、プロセッサによって、第2のイヤホンにオーディオ信号を出力するための経路を無効にするステップは、プロセッサによって、第2のオーディオデコーダを制御して無効にするステップを含む。
【００１７】
第1の態様のいずれかの可能な実施態様によると、第1の態様の第10の可能な実施態様では、第1のイヤホンまたは第2のイヤホンが位置外状態にある場合に、プロセッサによって、第1のイヤホンまたは第2のイヤホンへのオーディオ出力を停止するステップは、第1のイヤホンまたは第2のイヤホンが位置外状態にある場合に、プロセッサによって、予め設定されたアプリケーションプログラムリストに現在実行中のアプリケーションプログラムが含まれているかどうかを判定する検索を実行するステップと、予め設定されたアプリケーションプログラムリストに現在実行中のアプリケーションプログラムが含まれている場合に、現在実行中のアプリケーションプログラムを一時停止するステップとを含む。
【００１８】
第1の態様の第10の可能な実施態様によると、第1の態様の第11の可能な実施態様では、予め設定されたアプリケーションプログラムリストは、ゲームアプリケーションプログラムまたはビデオアプリケーションプログラムを含む。
【００１９】
第1の態様のいずれかの可能な実施態様によると、第1の態様の第12の可能な実施態様では、第1のイヤホンまたは第2のイヤホンが位置外状態にある場合に、プロセッサによって、第1のイヤホンまたは第2のイヤホンへのオーディオ出力を停止するステップは、第1のイヤホンまたは第2のイヤホンが位置外状態にある場合に、プロセッサによって、端末が呼状態にあるかどうかを検出するステップと、端末が呼状態にある場合に、呼を終了するか、または呼をスピーカモードに切り替えるステップとを含む。
【００２０】
第2の態様によれば、本発明の一実施形態は、端末であって、端末が、プロセッサと、イヤホンコネクタと、第1の検出ユニットと、第1のオーディオデコーダと、第2のオーディオデコーダとを含み、イヤホンコネクタが、第1のオーディオ出力端と、第2のオーディオ出力端と、第3のオーディオ出力端とを含み、第1のオーディオ出力端が、外部接続される第1のイヤホンの第1のオーディオ入力端に接続されるように構成され、第2のオーディオ出力端が、外部接続される第2のイヤホンの第2のオーディオ入力端に接続されるように構成され、第3のオーディオ出力端が、第1のイヤホンの第2のオーディオ入力端および第2のイヤホンの第1のオーディオ入力端に接続されるように構成され、第1の検出ユニットが、第1のオーディオ出力端および第3のオーディオ出力端に別々に接続され、第1のオーディオデコーダが、第1のオーディオ出力端および第2のオーディオ出力端を使用して第1のイヤホンにオーディオ信号を出力し、第2のオーディオデコーダが、第2のイヤホンにオーディオ信号を出力するために第2のオーディオ出力端および第3のオーディオ出力端に接続され、端末が、第2のイヤホンにオーディオ信号を出力するための経路を無効にするように構成されたプロセッサと、第1のオーディオ出力端の電気信号および第3のオーディオ出力端の電気信号を検出するように構成された第1の検出ユニットとを含み、第1の検出ユニットが、第1のオーディオ信号端の電気信号および第3のオーディオ信号端の電気信号に従って第1のイヤホンの低周波共振点の周波数値を求め、低周波共振点の周波数値に従って、第1のイヤホンが位置内状態にあるかどうかを判定するようにさらに構成されている、端末を提供する。
【００２１】
第1の態様の第1の可能な実施態様では、プロセッサは、第1のイヤホンが位置外状態にある場合に、第1のイヤホンへのオーディオ出力を停止するようにさらに構成される。
【００２２】
第1の態様または第1の態様の第1の可能な実施態様に関連して、第1の態様の第2の可能な実施態様では、プロセッサは、オーディオ信号が第1のイヤホンおよび第2のイヤホンに出力されているかどうかを判定するようにさらに構成され、プロセッサが、第2のイヤホンにオーディオ信号を出力するための経路を無効にするように構成されることは、特に、プロセッサが、オーディオ信号が第1のイヤホンおよび第2のイヤホンに出力されている場合に、第2のイヤホンにオーディオ信号を出力するための経路を無効にするように構成されることである。
【００２３】
第1の態様の第2の可能な実施態様によると、第1の態様の第3の可能な実施態様では、プロセッサは、オーディオ信号のオーディオソースが切り替えられているかどうかを判定するようにさらに構成され、プロセッサが、第2のイヤホンにオーディオ信号を出力するための経路を無効にするように構成されることは、特に、プロセッサが、オーディオ信号が第1のイヤホンおよび第2のイヤホンに出力されており、オーディオ信号のオーディオソースが切り替えられている場合に、プロセッサによって、第2のイヤホンにオーディオ信号を出力するための経路を無効にするように構成されることである。
【００２４】
第1の態様のいずれかの可能な実施態様によると、第1の態様の第4の可能な実施態様では、端末は、第2の検出ユニットをさらに含み、第2の検出ユニットは、第2のオーディオ出力端および第3のオーディオ出力端に別々に接続され、プロセッサは、第1のイヤホンにオーディオ信号を出力するための経路を無効にするようにさらに構成され、第2の検出ユニットは、プロセッサが第1のイヤホンにオーディオ信号を出力するための経路を無効にした後、第2のオーディオ出力端の電気信号および第3のオーディオ出力端の電気信号を検出するように構成され、第2の検出ユニットは、第2のオーディオ信号端の電気信号および第3のオーディオ信号端の電気信号に従って第2のイヤホンの低周波共振点の周波数値を求め、低周波共振点の周波数値に従って、第2のイヤホンが位置内状態にあるかどうかを判定するようにさらに構成される。
【００２５】
第1の態様の第4の可能な実施態様によると、第1の態様の第5の可能な実施態様では、プロセッサは、第2のイヤホンが位置外状態にある場合に、第2のイヤホンへのオーディオ出力を停止するようにさらに構成される。
【００２６】
第1の態様のいずれかの可能な実施態様によると、第1の態様の第6の可能な実施態様では、端末は、切替スイッチをさらに含み、第1のオーディオデコーダは、第4のオーディオ出力端と、第5のオーディオ出力端と、GND端子とを含み、第2のオーディオデコーダは、第6のオーディオ出力端と、第7のオーディオ出力端と、GND端子とを含み、第4のオーディオ出力端は、第1のオーディオ出力端に接続され、第7のオーディオ出力端は、接続された第2のオーディオ出力端に接続され、切替スイッチは、第1の入力端と、第2の入力端と、出力端と、制御端とを含み、切替スイッチは、制御端によって入力される制御信号の制御下で、切替スイッチの出力端と、切替スイッチの第1の入力端および第2の入力端のいずれかとを接続するように構成され、第5のオーディオ出力端は、切替スイッチの第1の入力端に接続され、第1のデコーダのGND端子および第2のデコーダのGND端子は、切替スイッチの第2の入力端に接続され、切替スイッチの出力端は、第3のオーディオ出力端に接続され、プロセッサは、第1の制御信号を切替スイッチの制御端に入力して、切替スイッチの第1の入力端と切替スイッチの出力端との互いの接続を制御するようにさらに構成される。
【００２７】
第1の態様の第6の可能な実施態様によると、第1の態様の第7の可能な実施態様では、切替スイッチは、第3の入力端をさらに含み、切替スイッチは、制御端によって入力される制御信号の制御下で、切替スイッチの出力端と、切替スイッチの第1の入力端、第2の入力端、および第3の入力端のうちの1つとを接続するように特に構成され、第6のオーディオ出力端は、切替スイッチの第3の入力端に接続され、プロセッサは、第2の制御信号を切替スイッチの制御端に入力して、切替スイッチの第3の入力端と切替スイッチの出力端との互いの接続を制御するようにさらに構成される。
【００２８】
第1の態様のいずれかの可能な実施態様によると、第1の態様の第8の可能な実施態様では、プロセッサは、第1のオーディオデコーダを制御して無効にするようにさらに構成される。
【００２９】
第1の態様の第8の可能な実施態様によると、第1の態様の第9の可能な実施態様では、プロセッサは、第2のオーディオデコーダを制御して無効にするようにさらに構成される。
【００３０】
第1の態様のいずれかの可能な実施態様によると、第1の態様の第10の可能な実施態様では、プロセッサが、第1のイヤホンが位置外状態にある場合に、第1のイヤホンへのオーディオ出力を停止するようにさらに構成されることは、特に、プロセッサが、第1のイヤホンまたは第2のイヤホンが位置外状態にある場合に、予め設定されたアプリケーションプログラムリストに現在実行中のアプリケーションプログラムが含まれているかどうかを判定する検索を実行し、予め設定されたアプリケーションプログラムリストに現在実行中のアプリケーションプログラムが含まれている場合に、現在実行中のアプリケーションプログラムを一時停止するようにさらに構成されることである。
【００３１】
第1の態様の第10の可能な実施態様によると、第1の態様の第11の可能な実施態様では、予め設定されたアプリケーションプログラムリストは、ゲームアプリケーションプログラムまたはビデオアプリケーションプログラムを含む。
【００３２】
第1の態様のいずれかの可能な実施態様によると、第1の態様の第12の可能な実施態様では、プロセッサが、第1のイヤホンが位置外状態にある場合に、第1のイヤホンへのオーディオ出力を停止するようにさらに構成されることは、特に、プロセッサが、第1のイヤホンまたは第2のイヤホンが位置外状態にある場合に、端末が呼状態にあるかどうかを検出し、端末が呼状態にある場合に、呼を終了するか、または呼をスピーカモードに切り替えるようにさらに構成されることである。
【００３３】
本発明の実施形態は、イヤホンステータスを検出するために端末によって使用される方法および端末を提供する。本方法は、プロセッサによって、第2のイヤホンにオーディオ信号を出力するための経路を無効にする（この場合は、第2のイヤホンのイヤホンステータスは検出されない）ステップと、第1のイヤホンの第1のオーディオ出力端および第3のオーディオ出力端の電気信号を検出するステップと、第1のオーディオ信号および第3のオーディオ信号端の電気信号に従って第1のイヤホンの低周波共振点の周波数値を求めるステップと、低周波共振点の周波数値に従って、第1のイヤホンが位置内状態にあるかどうかを判定するステップとを含む。このように、第1のオーディオ信号および第3のオーディオ信号の電気信号のみを検出すればよく、電気信号の変化に従って、イヤホンが位置内にあるかどうかを判定することができる。したがって、第1のイヤホンのステータスを簡単かつ迅速に検出することができる。
【００３４】
本発明の実施形態または従来技術の技術的解決策をより明確に説明するために、以下では、実施形態または従来技術を説明するために必要な添付図面について簡単に説明する。明らかに、以下の説明の添付図面は、本発明の一部の実施形態を示しており、当業者は、創造的な努力なしにこれらの添付図面から他の図面をさらに得ることができる。
【図面の簡単な説明】
【００３５】
【図１】イヤホンが位置内状態にある簡略化されたモデルを示す。
【図２】従来のイヤホンの駆動回路図である。
【図３】本発明の一実施形態に従ってイヤホンステータスを検出するために端末によって使用される方法のフローチャートである。
【図４】イヤホンコネクタと、第1の検出ユニットと、第1のイヤホンと、第2のイヤホンとの間の接続の概略図である。
【図５】本発明の別の実施形態に従ってイヤホンステータスを検出するために端末によって使用される方法のフローチャートである。
【図６】本発明のさらに別の実施形態に従ってイヤホンステータスを検出するために端末によって使用される方法のフローチャートである。
【図７】本発明のさらに別の実施形態に従ってイヤホンステータスを検出するために端末によって使用される方法のフローチャートである。
【図８】本発明のさらに別の実施形態に従ってイヤホンステータスを検出するために端末によって使用される方法のフローチャートである。
【図９】左イヤホンと右イヤホンの両方のステータスが検出される場合の、第1の検出ユニットと、第2の検出ユニットと、イヤホンコネクタと、外部接続された第1のイヤホンと、外部接続された第2のイヤホンとの間の接続関係の図である。
【図１０】第1のオーディオデコーダと、第2のオーディオデコーダと、切替スイッチと、イヤホンコネクタと、第1のイヤホンと、第2のイヤホンとの間の詳細な接続関係の図である。
【図１１】本発明の一実施形態に従ってイヤホンステータスが検出されるイヤホンの駆動回路図である。
【図１２】本発明のさらに別の実施形態に従ってイヤホンステータスを検出するために端末によって使用される方法を示す。
【図１３】本発明のさらに別の実施形態に従ってイヤホンステータスを検出するために端末によって使用される方法を示す。
【図１４】本発明の一実施形態による端末の概略構成図である。
【図１５】本発明の別の実施形態による端末の概略構成図である。
【図１６】本発明のさらに別の実施形態による端末の概略構成図である。
【発明を実施するための形態】
【００３６】
本発明の実施形態の目的、技術的解決策、および利点をより明確にするために、以下では、本発明の実施形態の添付図面を参照しながら本発明の実施形態の技術的解決策を明確に説明する。明らかに、説明されている実施形態は、本発明の実施形態のすべてではなく、その一部である。創造的な努力なしに本発明の実施形態に基づいて当業者によって得られる他のすべての実施形態は、本発明の保護範囲内に入るものとする。
【００３７】
理解を容易にするために、本発明で提供される実施形態を説明する前に、以下のいくつかの概念を最初に説明する。本発明の実施形態で言及されるイヤホンは、オーディオ再生用に構成された左イヤホンまたは右イヤホンを指し、また、イヤホンは、インイヤーイヤホンおよびヘッドマウントイヤホンを含み得る。イヤホンステータスは、イヤホンが人の耳に装着されている状態と、イヤホンが人の耳に装着されていない状態との2種類を含み得る。説明を容易にするために、イヤホンが人の耳に装着されている状態を簡単に位置内状態と呼び、イヤホンが人の耳に装着されていない状態を簡単に位置外状態と呼ぶ。
【００３８】
図1は、イヤホンが位置内状態にある簡略化されたモデルを示す。図1に示すように、簡略化されたモデルは、人の耳モデル11と、外耳道12と、イヤホンの前方音響空洞13と、イヤホンの内蔵スピーカ14とを含む。イヤホンが位置内状態にあるとき、イヤホンの前方音響空洞13は、人の耳モデル11およびイヤホンの内蔵スピーカ14によって囲まれた気密空間となる。イヤホンが位置内状態にある（イヤホンの前方音響空洞が気密状態にある）とき、低周波共振点の周波数値f0は、500Hzから950Hzの範囲であり、イヤホンが位置外状態にある（イヤホンの前方音響空洞が開放されている）とき、低周波共振点の周波数値f0は、2000Hz以上である。
【００３９】
上記の説明から分かるように、イヤホンステータスが変化すると、イヤホンの低周波共振点の周波数値は明らかに変化する。コンデンサおよびインダクタなどの電気部品がイヤホンに含まれているとき、低周波共振点の周波数値の変化は、電気部品の抵抗を変化させ、抵抗の変化は、電気信号を変化させる。このように、イヤホンを通る電気信号の変化を検出することによって、イヤホンステータスを迅速に検出することができる。電気信号は、電圧信号および電流信号を含み得る。
【００４０】
図2は、従来のイヤホンの駆動回路図である。図2に示すように、駆動回路図には、ベースバンドプロセッサおよびオーディオコーデック上のオーディオ・デジタル・インタフェースが簡単に図示されている。ベースバンドプロセッサおよびオーディオコーデック上のオーディオ・デジタル・インタフェースは、互いに対応するように設計され、オーディオ・デジタル・インタフェースは、データ入力DIN、データ出力DOUT、クロックBCLK、サンプリング／フレームレートWCLK、MCLK、SDA、およびSCLなどを含む。MCLKは、リセットに使用されてもよく（あるいは使用されなくてもよい）、SDAおよびSCLは、オーディオコーデックの設定インタフェースであり、アドレスなどの共通情報を設定するために使用される。
【００４１】
ベースバンドプロセッサ上のDOUTインタフェースは、ベースバンドプロセッサからオーディオコーデックにオーディオ信号を出力し、オーディオコーデックは、デコードされたオーディオ信号を得るためにオーディオ信号をデコードし、デコードされたオーディオ信号を再生するために左イヤホンおよび右イヤホンを駆動する。
【００４２】
外部から収音された音声信号（例えば、マイクロフォンを使用して集音された）（収音は本発明とは無関係であり、図示されていない）は、オーディオ信号を得るためにオーディオコーデックによって最初にコードされ、オーディオ信号は、コーデックのDOUTピンからベースバンドプロセッサのDINピンに出力され、これにより、ベースバンドプロセッサは、アプリケーションプロセッサ（図示せず）によって処理され得る信号を形成する処理をさらに実行できるようになる。
【００４３】
プロセッサがオーディオ出力があるかどうかを判定することは、本明細書では、オーディオ信号がベースバンドプロセッサから出力されているかどうかを指す。
【００４４】
図3は、本発明の一実施形態に従ってイヤホンステータスを検出するために端末によって使用される方法のフローチャートである。本方法は、端末に適用され、端末は、プロセッサと、イヤホンコネクタと、第1の検出ユニットとを含む。
【００４５】
本発明のこの実施形態で提供される、イヤホンステータスを検出するために端末によって使用される方法では、端末は、第1のイヤホンのステータスしか検出しなくてもよく、第1のイヤホンは、左イヤホンまたは右イヤホンであってもよいことに留意されたい。このように、第1のイヤホンを検出するように構成された検出ユニットのみを追加すればよく、実際の回路構造は簡単であり、容易に実施することができる。初期設定に従って左イヤホンが検出されると仮定した場合、「音声を聞くためにイヤホンを使用する必要がある場合は、左イヤホンを優先的に使用して下さい」という指示メッセージをユーザに表示することによって、検出結果をより正確で信頼できるものにすることができる。
【００４６】
図4は、イヤホンコネクタと、第1の検出ユニットと、第1のイヤホンと、第2のイヤホンとの間の接続の概略図である。図4に示すように、イヤホンコネクタ41は、第1のオーディオ出力端411と、第2のオーディオ出力端412と、第3のオーディオ出力端413とを含む。第1のオーディオ出力端411は、外部接続される第1のイヤホン42の第1のオーディオ入力端421に接続されるように構成され、第2のオーディオ出力端412は、外部接続される第2のイヤホン43の第2のオーディオ入力端432に接続されるように構成され、第3のオーディオ出力端413は、第1のイヤホン42の第2のオーディオ入力端422および第2のイヤホン43の第1のオーディオ入力端431に接続されるように構成され、第1の検出ユニット44は、第1のオーディオ出力端411および第3のオーディオ出力端413に別々に接続される。
【００４７】
第1の検出ユニット44は、第1の検出ユニット44が第1のオーディオ出力端411および第3のオーディオ出力端413に直接接続されるように配置されてもよいし、検出される電気信号が第1のオーディオ出力端411および第3のオーディオ出力端413で検出される電気信号と同じであることが保証されていれば、第1の検出ユニット44が、第1のオーディオ出力端411に接続された経路および第3のオーディオ出力端413に接続された経路上の任意の点に接続されるように配置されてもよいことに留意されたい。
【００４８】
方法300は、以下のステップを含む。
【００４９】
ステップ301：プロセッサは、第2のイヤホンにオーディオ信号を出力するための経路を無効にする。
【００５０】
ステップ302：第1の検出ユニットは、第1のオーディオ出力端411の電気信号および第3のオーディオ出力端413の電気信号を検出するが、この場合、電気信号は、電圧信号および電流信号を含んでもよい。
【００５１】
ステップ303：第1の検出ユニットは、第1のオーディオ信号411の電気信号および第3のオーディオ信号端413の電気信号に従って第1のイヤホン42の低周波共振点の第1の周波数値を求める。
【００５２】
第1の検出ユニットは、第1のオーディオ信号411の電気信号および第3のオーディオ信号端413の電気信号に従ってイヤホンのインピーダンス値R1を求め、インピーダンス値R1と第1の周波数値との対応関係に従って低周波共振点の周波数値f01を取得することに留意されたい。
【００５３】
ステップ304：第1の検出ユニットは、第1の周波数値に従って、第1のイヤホン42が位置内状態にあるかどうかを判定する。
【００５４】
第1の検出ユニットは、第1の検出回路および第1の処理ユニットを含み、第1の検出回路は、ステップ302を実行するように構成され、第1の処理ユニットは、ステップ303およびステップ304を実行するように構成されることに留意されたい。
【００５５】
一般に、イヤホンが位置内状態にある（イヤホンの前方音響空洞が気密状態にある）とき、低周波共振点の周波数値f0は、500Hzから950Hzの範囲であり、イヤホンが位置外状態にある（イヤホンの前方音響空洞が開放されている）とき、低周波共振点の周波数値f0は、2000Hz以上である。
【００５６】
プロセッサが、第2のイヤホンにオーディオ信号を出力するための経路を無効にすることにより、第1のイヤホンに独立したループが形成され（図4に示すように、第1のイヤホンおよび第2のイヤホンが同時に機能する場合は、第1のイヤホンおよび第2のイヤホンに形成されたループは部分的に重なる）、その結果、第2のイヤホンに形成されたループは、第1のイヤホンに形成されたループに影響を及ぼさないようになることに留意されたい。したがって、検出動作が完了した後、第1のイヤホンおよび第2のイヤホンが同時に正常に機能することを保証するために、第2のイヤホンにオーディオ信号を出力するための経路を直ちに有効にする必要がある。
【００５７】
本発明のこの実施形態で提供される、イヤホンステータスを検出するために端末によって使用される方法によれば、プロセッサは、第2のイヤホンにオーディオ信号を出力するための経路を無効にし（この場合は、第2のイヤホンのイヤホンステータスは検出されない）、第1のイヤホンの第1のオーディオ出力端および第3のオーディオ出力端の電気信号を検出し、第1のオーディオ信号および第3のオーディオ信号端の電気信号に従って第1のイヤホンの低周波共振点の周波数値を求め、低周波共振点の周波数値に従って、第1のイヤホンが位置内状態にあるかどうかを判定する。このように、第1のオーディオ信号および第3のオーディオ信号の電気信号のみを検出すればよく、電気信号の変化に従って、イヤホンが位置内にあるかどうかを判定することができる。したがって、第1のイヤホンのステータスを簡単かつ迅速に検出することができる。
【００５８】
図5は、本発明の別の実施形態に従ってイヤホンステータスを検出するために端末によって使用される方法のフローチャートである。
【００５９】
任意選択で、方法300は、以下をさらに含む。
【００６０】
ステップ505：プロセッサは、第1のイヤホンが位置外状態にある場合に、第1のイヤホンへのオーディオ出力を停止する。
【００６１】
第1のイヤホンが位置外状態にある場、それは、第1のイヤホンがユーザによって使用されておらず、第1のイヤホンへのオーディオの入力が無駄になることを示している。したがって、プロセッサは、第1のイヤホンへのオーディオ出力によって消費される電力を効果的に低減するために第1のイヤホンへのオーディオ出力を適時に停止する。
【００６２】
図6は、本発明のさらに別の実施形態に従ってイヤホンステータスを検出するために端末によって使用される方法のフローチャートである。
【００６３】
任意選択で、ステップ301の前に、方法300は、以下をさらに含む。
【００６４】
ステップ601：プロセッサは、オーディオ信号が第1のイヤホンおよび第2のイヤホンに出力されているかどうかを判定し、オーディオ信号が第1のイヤホンおよび第2のイヤホンに出力されている場合に、ステップ301を実行する。
【００６５】
プロセッサは、オーディオ信号が第1のイヤホンおよび第2のイヤホンに出力されているかどうかの判定を周期的に開始してもよいし、オーディオ信号が第1のイヤホンおよび第2のイヤホンに出力されているかどうかの判定をリアルタイムに開始してもよいし、オーディオ信号が第1のイヤホンおよび第2のイヤホンに出力されているかどうかの判定の開始をトリガするために、予め設定されたアプリケーションプログラムの開始を検出してもよいことに留意されたい。具体的な方法は、実際の要求に従って設定されてもよく、本発明のこの実施形態では特に限定されない。
【００６６】
図7は、本発明のさらに別の実施形態に従ってイヤホンステータスを検出するために端末によって使用される方法のフローチャートである。
【００６７】
任意選択で、ステップ601の結果が、オーディオ信号が第1のイヤホンおよび第2のイヤホンに出力されているとのプロセッサの判定であった後、ステップ301の前に、方法300は、以下をさらに含む。
【００６８】
ステップ701：プロセッサは、オーディオ信号のオーディオソースが切り替えられているかどうかを判定し、オーディオ信号のオーディオソースが切り替えられている場合に、ステップ301を実行する。
【００６９】
オーディオソースが切り替えられているかどうかは、現在再生中のオーディオソースから次のオーディオソースに切り替えていることを指すことに留意されたい。この動作は、ユーザが切替キーにタッチした後に実行されてもよいし、現在再生中のオーディオソースの終了後に次のオーディオソースに自動的に切り替えていることであってもよい。
【００７０】
任意選択で、オーディオ再生アプリケーションプログラムは、オーディオ再生プロセスにおいて、再生開始、再生完了、および再生コンテンツなどの情報を報告し、プロセッサは、取得した情報に従って、オーディオソースが切り替えられているかどうかを判定する。
【００７１】
本発明のこの実施形態で提供される、イヤホンステータスを検出するために端末によって使用される方法によれば、オーディオソースを切り替える時機が検出され、オーディオソースを切り替えるプロセスでイヤホンステータスが検出される。このようにして、ユーザによるオーディオソースの通常再生は影響を受けなくなり、イヤホンステータス検出は、ユーザによって気付かれることなく既に完了済みとなり、この結果、端末のユーザ体験が大幅に改善される。
【００７２】
図8は、本発明のさらに別の実施形態に従ってイヤホンステータスを検出するために端末によって使用される方法のフローチャートである。端末は、第2の検出ユニット45をさらに含み、第2の検出ユニットは、第2のオーディオ出力端412および第3のオーディオ出力端413に別々に接続される。
【００７３】
図9は、左イヤホンと右イヤホンの両方のステータスが検出される場合の、第1の検出ユニットと、第2の検出ユニットと、イヤホンコネクタと、外部接続された第1のイヤホンと、外部接続された第2のイヤホンとの間の接続関係の図である。
【００７４】
図9では、第1の検出ユニット44および第2の検出ユニット45は、別々のハードウェアであることに留意されたい。実際には、第1の検出ユニット44および第2の検出ユニット45を組み合わせて1つの検出ユニットにしてもよい。第1の検出ユニット44および第2の検出ユニット45を組み合わせて1つの検出ユニットにする場合、第3のオーディオ出力端413に接続するための接続線を省略して、回路を簡略化してもよい。
【００７５】
この実施形態本発明で提供される、イヤホンステータスを検出するために端末によって使用される方法では、端末は、第1のイヤホンおよび第2のイヤホンのステータスを順次検出してもよいことに留意されたい。このようにして、ユーザは、オーディオ再生におけるイヤホンの優先的な使用に関する指示メッセージを事前に表示される必要がなくなる。ユーザがオーディオ再生にどちらのイヤホンを使用したとしても、端末は、第1のイヤホンおよび第2のイヤホンのステータスの検出を完了することができる。
【００７６】
本発明のこの実施形態は、図3に示した実施形態に基づいて実施され、ここでは、図3と異なる内容のみを詳細に説明する。その他の内容については、図3の関連する説明を参照することとし、ここでは再び詳細は説明しない。図8に示すように、方法300は、以下のステップをさらに含む。
【００７７】
ステップ801：プロセッサは、第1のイヤホン42にオーディオ信号を出力するための経路を無効にする。
【００７８】
ステップ802：第2の検出ユニットは、第2のオーディオ出力端の電気信号および第3のオーディオ出力端の電気信号を検出する。
【００７９】
ステップ803：第2の検出ユニットは、第2のオーディオ信号端の電気信号および第3のオーディオ信号端の電気信号に従って第2のイヤホンの低周波共振点の第2の周波数値を求める。
【００８０】
第2の検出ユニットは、第2のオーディオ信号412の電気信号および第3のオーディオ信号端413の電気信号に従ってイヤホンのインピーダンス値R2を求め、インピーダンス値R2と第2の周波数値との対応関係に従って低周波共振点の周波数値f02を取得することに留意されたい。
【００８１】
ステップ804：第2の監視回路は、第2の周波数値に従って、第2のイヤホンが位置内状態にあるかどうかを判定する。
【００８２】
第2の検出ユニットは、第2の検出回路および第2の処理ユニットを含み、第2の検出回路は、ステップ802を実行するように構成され、第2の処理ユニットは、ステップ803およびステップ304を実行するように構成されることに留意されたい。
【００８３】
プロセッサが、第2のイヤホンにオーディオ信号を出力するための経路を無効にすることにより、第1のイヤホンに独立したループが形成され（図9に示すように、第1のイヤホンの第2のオーディオ入力端が、第2のイヤホンの第1の入力端に接続されることから）、その結果、第2のイヤホンに形成されたループは、第1のイヤホンに形成されたループに影響を及ぼさないようになることに留意されたい。同様に、プロセッサは、同じ目的のために第1のイヤホンを無効にする。このように、第1のイヤホンまたは第2のイヤホンが検出されるとき、他方のイヤホンは正常に機能し得ない。
【００８４】
したがって、第1の検出ユニットまたは第2の検出ユニットが検出動作を完了した後、第2のイヤホンおよび第1のイヤホンが正常に機能し得ることを保証するために、第2のイヤホンまたは第1のイヤホンにオーディオ信号を出力するための経路を直ちに有効にする必要がある。
【００８５】
本発明のこの実施形態で提供される、イヤホンステータスを検出するために端末によって使用される方法によれば、検出するイヤホンを事前に指定する必要はなく、第1のイヤホンおよび第2のイヤホンの両方のステータスが検出される。このようにして、より正確な検出結果を提供することができる。
【００８６】
任意選択で、方法300は、以下をさらに含む。
【００８７】
ステップ505：プロセッサは、第2のイヤホンが位置外状態にある場合に、第2のイヤホンへのオーディオ出力を停止する。
【００８８】
第2のイヤホンが位置外状態にある場合、それは、第2のイヤホンがユーザによって使用されておらず、第2のイヤホンへのオーディオの入力が無駄になることを示している。したがって、プロセッサは、第2のイヤホンへのオーディオ出力によって消費される電力を効果的に低減するために第2のイヤホンへのオーディオ出力を適時に停止し、これにより、電力をさらに節約する効果が達成される。
【００８９】
図10は、第1のオーディオデコーダと、第2のオーディオデコーダと、切替スイッチと、イヤホンコネクタと、第1のイヤホンと、第2のイヤホンとの間の詳細な接続関係の図である。詳細な接続関係の図では、図9の接続方法に基づいて、第1のオーディオデコーダと、第2のオーディオデコーダと、切替スイッチとの間の接続関係が追加されている。ここでは、図9と異なる内容のみを詳細に説明する。その他の内容については、図9の関連する説明を参照することとし、ここでは再び詳細は説明しない。
【００９０】
図10は、第1のイヤホンおよび第2のイヤホンの両方を検出する必要がある場合の、第1のオーディオデコーダと、第2のオーディオデコーダと、切替スイッチと、イヤホンコネクタと、第1のイヤホンと、第2のイヤホンとの間の詳細な接続関係の図であることに留意されたい。第1のイヤホンのみが検出される場合、切替スイッチの第3の入力に関連する内容は省略されてもよい。
【００９１】
図10に示すように、端末は、第1のイヤホンにオーディオ信号を出力するように構成された第1のオーディオデコーダ101と、第2のイヤホンにオーディオ信号を出力するように構成された第2のオーディオデコーダ102と、切替スイッチ103とをさらに含み、第1のオーディオデコーダは、第4のオーディオ出力端1014と、第5のオーディオ出力端1015と、GND端子とを含み、第2のオーディオデコーダは、第6のオーディオ出力端1026と、第7のオーディオ出力端1027と、GND端子とを含み、第4のオーディオ出力端1014は、第1のオーディオ出力端411に接続され、第7のオーディオ出力端1027は、第2のオーディオ出力端412に接続される。
【００９２】
第1のイヤホンのみにイヤホンステータス検出を実行する必要がある場合、切替スイッチ103は、第1の入力端1031と、第2の入力端1032と、制御端1034と、出力端1035とを含み、切替スイッチ103は、制御端によって入力される制御信号の制御下で、切替スイッチの出力端と、切替スイッチの第1の入力端および第2の入力端のいずれかとを接続するように構成される。
【００９３】
第5のオーディオ出力端1015は、切替スイッチ103の第1の入力端1031に接続され、第1のデコーダ101のGND端子および第2のデコーダ102のGND端子は、切替スイッチ103の第2の入力端1032に接続され、切替スイッチ103の出力端1035は、第3のオーディオ出力端413に接続される。
【００９４】
任意選択で、プロセッサによって、第2のイヤホンにオーディオ信号を出力するための経路を無効にするステップは、プロセッサによって、第1の制御信号を切替スイッチ103の制御端1034に入力して切替スイッチの第1の入力端1031と切替スイッチ103の出力端1035との互いの接続を制御するステップを含む。
【００９５】
任意選択で、第1のイヤホンおよび第2のイヤホンの両方にイヤホンステータス検出を実行する必要がある場合、切替スイッチ103は、第3の入力端1033をさらに含み、切替スイッチ103は、制御端によって入力される制御信号の制御下で、切替スイッチの出力端と、切替スイッチの第1の入力端、第2の入力端、および第3の入力端のうちの1つとを接続するように特に構成され、第6のオーディオ出力端1026は、切替スイッチ103の第3の入力端1033に接続される。
【００９６】
プロセッサによって、第1のイヤホンにオーディオ信号を出力するための経路を無効にするステップは、プロセッサによって、第2の制御信号を切替スイッチの制御端に入力して切替スイッチの第3の入力端と切替スイッチの出力端との互いの接続を制御するステップを含む。
【００９７】
任意選択で、端末は、第1のイヤホンにオーディオ信号を出力するように構成された第1のオーディオデコーダをさらに含み、プロセッサによって、第1のイヤホンにオーディオ信号を出力するための経路を無効にするステップは、プロセッサによって、第1のオーディオデコーダを制御して無効にするステップを含む。
【００９８】
任意選択で、端末は、第2のイヤホンにオーディオ信号を出力するように構成された第2のオーディオデコーダをさらに含み、プロセッサによって、第2のイヤホンにオーディオ信号を出力するための経路を無効にするステップは、プロセッサによって、第2のオーディオデコーダを制御して無効にするステップを含む。
【００９９】
第1のオーディオデコーダおよび第2のオーディオデコーダは、別々のデコーダであってもよいし、同じオーディオデコーダに統合されてもよいことに留意されたい。これは、本発明のこの実施形態では限定されない。
【０１００】
第1の検出ユニットおよび第2の検出ユニットは、統合された検出ユニットの2つのサブユニットであってもよいし、第1の検出ユニットおよび第2の検出ユニットは別々の検出ユニットであってもよいことに留意されたい。第1の検出ユニットおよび第2の検出ユニットは、端末内の別々のハードウェアとして設計されてもよいし、1つの機能モジュールとして使用され、端末の他のハードウェアに組み込まれてもよい（例えば、パワーアンプに組み込まれてもよいし、デコーダに組み込まれてもよいし、プロセッサに組み込まれてもよい）。
【０１０１】
端末内のパワーアンプが電圧によって駆動される場合、電圧は一定であることに留意されたい。したがって、検出ユニットは、電流信号のみを検出すればよく、電圧信号を検出する必要はなく、この一定の電圧値が電圧値として使用される。端末内のパワーアンプが電流によって駆動される場合、電流は一定である。したがって、検出ユニットは、電圧信号のみを検出すればよく、電流信号を検出する必要はなく、この一定の電流値が電流値として使用される。
【０１０２】
図11は、本発明の一実施形態に従ってイヤホンステータスが検出されるイヤホンの駆動回路図である。図11に示すように、検出ユニットは、パワーアンプに組み込まれ、左イヤホンおよび右イヤホンのステータスを検出する必要がある。検出ピン（sense＋、sense−）は、左イヤホンおよび右イヤホンに接続されたパワーアンプに別々に追加される。検出ピンは、検出される電気信号を受信するように構成され、パワーアンプに組み込まれた検出ユニットは、検出ピンによって受信された電気信号に従って、イヤホンが位置内にあるかどうかを判定する。
【０１０３】
図12は、本発明のさらに別の実施形態に従ってイヤホンステータスを検出するために端末によって使用される方法を示す。本発明のこの実施形態は、図8に示した実施形態に基づいて実施され、ここでは、図8と異なる内容のみを詳細に説明する。その他の内容については、図8の関連する説明を参照することとし、ここでは再び詳細は説明しない。方法300は、以下をさらに含む。
【０１０４】
ステップ1205：第1のイヤホンまたは第2のイヤホンが位置外状態にある場合、プロセッサは、予め設定されたアプリケーションプログラムリストに現在実行中のアプリケーションプログラムが含まれているかどうかを判定する検索を実行する。
【０１０５】
ステップ1206：予め設定されたアプリケーションプログラムリストに現在実行中のアプリケーションプログラムが含まれている場合に、現在実行中のアプリケーションプログラムを一時停止する。
【０１０６】
任意選択で、予め設定されたアプリケーションプログラムリストは、ゲームアプリケーションプログラムまたはビデオアプリケーションプログラムを含む。
【０１０７】
予め設定されたアプリケーションプログラムリストは、オーディオ関連のアプリケーションプログラムを格納してもよく、すなわち、オーディオ再生アプリケーションプログラムは、アプリケーションプログラムの実行と同時に開始されることに留意されたい。
【０１０８】
本発明のこの実施形態で提供される、イヤホンステータスを検出するために端末によって使用される方法によれば、プロセッサは、予め設定されたアプリケーションプログラムリストに現在実行中のアプリケーションプログラムが含まれているかどうかを判定する検索を実行し、予め設定されたアプリケーションプログラムリストに現在実行中のアプリケーションプログラムが含まれている場合、プロセッサは、ユーザはアプリケーションプログラムを使用していないと判定し、現在実行中のアプリケーションプログラムを直ちに一時停止する。このようにして、端末の消費電力をさらに低減することができる。
【０１０９】
図13は、本発明のさらに別の実施形態に従ってイヤホンステータスを検出するために端末によって使用される方法を示す。本発明のこの実施形態は、図8に示した実施形態に基づいて実施され、ここでは、図8と異なる内容のみを詳細に説明する。その他の内容については、図8の関連する説明を参照することとし、ここでは再び詳細は説明しない。図13に示すように、方法300は、以下をさらに含む。
【０１１０】
ステップ1305：第1のイヤホンまたは第2のイヤホンが位置外状態にある場合、プロセッサは、端末が呼状態にあるかどうかを検出する。
【０１１１】
ステップ1306：端末が呼状態にある場合に、呼を終了するか、または呼をスピーカモードに切り替える。
【０１１２】
本発明のこの実施形態で提供される、イヤホンステータスを検出するために端末によって使用される方法によれば、プロセッサは、端末が呼状態にあるかどうかを検出し、端末が呼状態にある場合、プロセッサは、ユーザは電話に出ることができないか、またはユーザはイヤホンを外してスピーカモードを使用したがっていると判定し、プロセッサは、呼を終了するか、または呼をスピーカモードに切り替える。このように、製品設計に応じて呼を終了すれば、端末の消費電力をさらに低減することができる。製品設計に応じて呼をスピーカモードに切り替えれば、ユーザは、イヤホンを外すだけで呼をイヤホンモードからスピーカモードに好適に切り替えることができる。したがって、端末のユーザ体験が効果的に改善される。
【０１１３】
本発明のこの実施形態で提供される端末は、タブレットコンピュータ、携帯電話、MP3、またはMP4などであってもよいし、さらにはウェアラブル機器などであってもよい。
【０１１４】
端末は、ディスプレイ画面と、メモリと、プロセッサと、バスシステムとを含む。
【０１１５】
ディスプレイ画面は、陰極線管（CRT、Cathode Ray Tube）ディスプレイ画面、液晶ディスプレイ（LCD、Liquid Crystal Display）、またはタッチディスプレイ画面（Touch Display Screen）などの適切な装置であってもよく、また、ディスプレイ画面がグラフィカル・ユーザ・インタフェースを表示するように、バスシステムを使用して命令を受信する。
【０１１６】
メモリは、RAMもしくはROM、または任意の取り外し不可能な記憶媒体、または取り外し可能な記憶媒体を含んでもよく、また、本発明のこの実施形態を実行することができるプログラムまたは本発明のこの実施形態のデータを記憶するように構成される。
【０１１７】
プロセッサは、本発明のこの実施形態のメモリに記憶されたプログラムを実行するように構成され、プロセッサおよび別の装置は、システムバスを使用して互いに通信してもよい。
【０１１８】
メモリおよびプロセッサはまた、本発明のこの実施形態に適用される物理的モジュールに組み込まれてもよく、物理的モジュールは、本発明のこの実施形態を実施するプログラムを記憶および実行する。
【０１１９】
端末の構成要素は、バスシステムを使用して互いに接続され、バスシステムは、データバスに加えて、電源バス、制御バス、およびステータス信号バスなどをさらに含んでもよい。しかしながら、明確な説明のために、様々なバスは、図ではバスシステムとして示されている。
【０１２０】
図14は、本発明の一実施形態による端末の概略構成図である。端末は、イヤホンコネクタ41と、第1の検出ユニット44と、第1のオーディオデコーダ101と、第2のオーディオデコーダ102と、プロセッサ142とをさらに含む。第1の検出ユニットは、第1のオーディオ出力端および第2のオーディオ出力端に別々に接続される。イヤホンコネクタと、第1のイヤホンと、第2のイヤホンとの間の接続関係については、図4を参照することとし、ここでは再び詳細は説明しない。第1のオーディオデコーダは、第1のオーディオ出力端および第2のオーディオ出力端を使用して第1のイヤホンにオーディオ信号を出力する。第2のオーディオデコーダは、第2のイヤホンにオーディオ信号を出力するために第2のオーディオ出力端および第3のオーディオ出力端に接続される。プロセッサ142は、第1のオーディオデコーダ101および第2のオーディオデコーダ102に接続される。
【０１２１】
プロセッサ142は、第2のイヤホンにオーディオ信号を出力するための経路を無効にするように構成される。
【０１２２】
第1の検出ユニット44は、プロセッサ142が第2のイヤホンにオーディオ信号を出力するための経路を無効にした後、第1のオーディオ出力端の電気信号および第3のオーディオ出力端の電気信号を検出するように構成される。
【０１２３】
第1の検出ユニット44は、第1のオーディオ信号端の電気信号および第3のオーディオ信号端の電気信号に従って第1のイヤホンの低周波共振点の周波数値を求め、低周波共振点の周波数値に従って、第1のイヤホンが位置内状態にあるかどうかを判定するようにさらに構成される。位置内状態は、イヤホンの前方音響空洞の領域が第1の閾値未満にある状態を指す。
【０１２４】
詳細な処理プロセスについては、図3および図4に対応する実施形態の説明を参照することとし、ここでは再び詳細は説明しないことに留意されたい。
【０１２５】
本発明のこの実施形態で提供される端末によれば、プロセッサは、第2のイヤホンにオーディオ信号を出力するための経路を最初に無効にし（この場合は、第2のイヤホンのイヤホンステータスは検出されない）、第1のイヤホンの第1のオーディオ出力端および第3のオーディオ出力端の電気信号を検出し、第1のオーディオ信号および第3のオーディオ信号端の電気信号に従って第1のイヤホンの低周波共振点の周波数値を求め、低周波共振点の周波数値に従って、第1のイヤホンが位置内状態にあるかどうかを判定する。このように、第1のオーディオ信号および第3のオーディオ信号の電気信号のみを検出すればよく、電気信号の変化に従って、イヤホンが位置内にあるかどうかを判定することができる。したがって、第1のイヤホンのステータスを簡単かつ迅速に検出することができる。
【０１２６】
任意選択で、プロセッサ142は、第1のイヤホンが位置外状態にある場合に、第1のイヤホンへのオーディオ出力を停止するようにさらに構成される。
【０１２７】
詳細な処理プロセスについては、図5に対応する実施形態の説明を参照することとし、ここでは再び詳細は説明しないことに留意されたい。
【０１２８】
第1のイヤホンが位置外状態にある場、それは、第1のイヤホンがユーザによって使用されておらず、第1のイヤホンへのオーディオの入力が無駄になることを示している。したがって、プロセッサは、第1のイヤホンへのオーディオ出力によって消費される電力を効果的に低減するために、第1のイヤホンにオーディオを出力するための経路を適時に無効にする。
【０１２９】
任意選択で、プロセッサは、オーディオ信号が第1のイヤホンおよび第2のイヤホンに出力されているかどうかを判定し、オーディオ信号が第1のイヤホンおよび第2のイヤホンに出力されている場合に、第2のイヤホンにオーディオ信号を出力するための経路を無効にするように構成される。
【０１３０】
詳細な処理プロセスについては、図6に対応する実施形態の説明を参照することとし、ここでは再び詳細は説明しないことに留意されたい。
【０１３１】
任意選択で、プロセッサは、オーディオ信号のオーディオソースが切り替えられているかどうかを判定するようにさらに構成される。
【０１３２】
プロセッサが、第2のイヤホンにオーディオ信号を出力するための経路を無効にするように構成されることは、特に、プロセッサが、オーディオ信号が第1のイヤホンおよび第2のイヤホンに出力されており、オーディオ信号のオーディオソースが切り替えられている場合に、プロセッサによって、第2のイヤホンにオーディオ信号を出力するための経路を無効にするように構成されることである。
【０１３３】
詳細な処理プロセスについては、図7に対応する実施形態の説明を参照することとし、ここでは再び詳細は説明しないことに留意されたい。
【０１３４】
本発明のこの実施形態で提供される端末によれば、オーディオソースを切り替える時機が検出され、オーディオソースを切り替えるプロセスでイヤホンステータスが検出される。このようにして、ユーザによるオーディオソースの通常再生は影響を受けなくなり、イヤホンステータス検出は、ユーザによって気付かれることなく既に完了済みとなり、この結果、端末のユーザ体験が大幅に改善される。
【０１３５】
図15は、本発明の別の実施形態による端末の概略構成図である。
【０１３６】
任意選択で、端末は、第2の検出ユニット45をさらに含み、第2の検出ユニット45は、第2のオーディオ出力端および第3のオーディオ出力端に別々に接続される。
【０１３７】
プロセッサ142は、第1のイヤホンにオーディオ信号を出力するための経路を無効にするようにさらに構成される。
【０１３８】
第2の検出ユニット45は、プロセッサが第1のイヤホンにオーディオ信号を出力するための経路を無効にした後、第2のオーディオ出力端の電気信号および第3のオーディオ出力端の電気信号を検出するように構成される。
【０１３９】
第2の検出ユニット45は、第2のオーディオ信号端の電気信号および第3のオーディオ信号端の電気信号に従って第2のイヤホンの低周波共振点の周波数値を求め、低周波共振点の周波数値に従って、第2のイヤホンが位置内状態にあるかどうかを判定するようにさらに構成される。
【０１４０】
詳細な処理プロセスについては、図8および図9に対応する実施形態の説明を参照することとし、ここでは再び詳細は説明しないことに留意されたい。
【０１４１】
本発明のこの実施形態で提供される端末によれば、検出するイヤホンを事前に指定する必要はなく、第1のイヤホンおよび第2のイヤホンの両方のステータスが検出される。このようにして、より正確な検出結果を提供することができる。
【０１４２】
任意選択で、プロセッサは、第2のイヤホンが位置外状態にある場合に、第2のイヤホンへのオーディオ出力を停止するようにさらに構成される。
【０１４３】
第2のイヤホンが位置外状態にある場合、それは、第2のイヤホンがユーザによって使用されておらず、第2のイヤホンへのオーディオの入力が無駄になることを示している。したがって、プロセッサは、第2のイヤホンへのオーディオ出力によって消費される電力を効果的に低減するために第2のイヤホンへのオーディオ出力を適時に停止し、これにより、電力をさらに節約する効果が達成される。
【０１４４】
図16は、本発明のさらに別の実施形態による端末の概略構成図である。
【０１４５】
任意選択で、図9を参照すると、端末は、第1のイヤホンにオーディオ信号を出力するように構成された第1のオーディオデコーダと、第2のイヤホンにオーディオ信号を出力するように構成された第2のオーディオデコーダと、切替スイッチとをさらに含み、第1のオーディオデコーダは、第4のオーディオ出力端と、第5のオーディオ出力端と、GND端子とを含み、第2のオーディオデコーダは、第6のオーディオ出力端と、第7のオーディオ出力端と、GND端子とを含み、第4のオーディオ出力端は、第1のオーディオ出力端に接続され、第7のオーディオ出力端は、第2のオーディオ出力端に接続される。
【０１４６】
図10を参照すると、第1のイヤホンのみにイヤホンステータス検出を実行する必要がある場合、切替スイッチは、第1の入力端と、第2の入力端と、出力端と、制御端とを含み、切替スイッチは、制御端によって入力される制御信号の制御下で、切替スイッチの出力端と、切替スイッチの第1の入力端および第2の入力端のいずれかとを接続するように構成される。
【０１４７】
第5のオーディオ出力端は、切替スイッチの第1の入力端に接続され、第1のデコーダのGND端子および第2のデコーダのGND端子は、切替スイッチの第2の入力端に接続され、切替スイッチの出力端は、第3のオーディオ出力端に接続される。
【０１４８】
プロセッサは、第1の制御信号を切替スイッチの制御端に入力して、切替スイッチの第3の入力端と切替スイッチの出力端との互いの接続を制御するように構成される。
【０１４９】
プロセッサは、第2の制御信号を切替スイッチの制御端に入力して、切替スイッチの第1の入力端と切替スイッチの出力端との互いの接続を制御するようにさらに構成される。
【０１５０】
任意選択で、図10を参照すると、第1のイヤホンおよび第2のイヤホンの両方にイヤホンステータス検出を実行する必要がある場合、切替スイッチは、第3の入力端をさらに含み、切替スイッチは、制御端によって入力される制御信号の制御下で、切替スイッチの出力端と、切替スイッチの第1の入力端、第2の入力端、および第3の入力端のうちの1つとを接続するように特に構成され、第6のオーディオ出力端は、切替スイッチの第3の入力端に接続される。
【０１５１】
プロセッサは、第2の制御信号を切替スイッチの制御端に入力して、切替スイッチの第3の入力端と切替スイッチの出力端との互いの接続を制御するようにさらに構成される。
【０１５２】
プロセッサは、第1のオーディオデコーダを制御して無効にするようにさらに構成される。
【０１５３】
プロセッサは、第2のオーディオデコーダを制御して無効にするようにさらに構成される。
【０１５４】
第1のオーディオデコーダおよび第2のオーディオデコーダは、別々のデコーダであってもよいし、同じオーディオデコーダに統合されてもよいことに留意されたい。これは、本発明のこの実施形態では限定されない。
【０１５５】
任意選択で、プロセッサが、第1のイヤホンが位置外状態にある場合に、第1のイヤホンへのオーディオ出力を停止するようにさらに構成されることは、特に、プロセッサが、第1のイヤホンまたは第2のイヤホンが位置外状態にある場合に、プロセッサによって、予め設定されたアプリケーションプログラムリストに現在実行中のアプリケーションプログラムが含まれているかどうかを判定する検索を実行し、
予め設定されたアプリケーションプログラムリストに現在実行中のアプリケーションプログラムが含まれている場合に、現在実行中のアプリケーションプログラムを一時停止するようにさらに構成されることである。
【０１５６】
任意選択で、予め設定されたアプリケーションプログラムリストは、ゲームアプリケーションプログラムまたはビデオアプリケーションプログラムを含む。
【０１５７】
予め設定されたアプリケーションプログラムリストは、オーディオ関連のアプリケーションプログラムを格納してもよく、すなわち、オーディオ再生アプリケーションプログラムは、アプリケーションプログラムの実行と同時に開始されることに留意されたい。
【０１５８】
本発明のこの実施形態で提供される端末によれば、プロセッサは、予め設定されたアプリケーションプログラムリストに現在実行中のアプリケーションプログラムが含まれているかどうかを判定する検索を実行し、予め設定されたアプリケーションプログラムリストに現在実行中のアプリケーションプログラムが含まれている場合、プロセッサは、ユーザはアプリケーションプログラムを使用していないと判定し、現在実行中のアプリケーションプログラムを直ちに一時停止する。このようにして、端末の消費電力をさらに低減することができる。
【０１５９】
任意選択で、プロセッサが、第1のイヤホンが位置外状態にある場合に、第1のイヤホンへのオーディオ出力を停止するようにさらに構成されることは、特に、プロセッサが、第1のイヤホンまたは第2のイヤホンが位置外状態にある場合に、プロセッサによって、端末が呼状態にあるかどうかを検出し、端末が呼状態にある場合に、呼を終了するか、または呼をスピーカモードに切り替えるようにさらに構成されることである。
【０１６０】
本発明のこの実施形態で提供される端末によれば、プロセッサは、端末が呼状態にあるかどうかを検出し、端末が呼状態にある場合、プロセッサは、ユーザは電話に出ることができないか、またはユーザはイヤホンを外してスピーカモードを使用したがっていると判定し、プロセッサは、呼を終了するか、または呼をスピーカモードに切り替える。このように、製品設計に応じて呼を終了すれば、端末の消費電力をさらに低減することができる。製品設計に応じて呼をスピーカモードに切り替えれば、ユーザは、イヤホンを外すだけで呼をイヤホンモードからスピーカモードに好適に切り替えることができる。したがって、端末のユーザ体験が効果的に改善される。
【０１６１】
本発明のこの実施形態の端末のハードウェアは、図3〜図11に示した、イヤホンステータスを検出するために端末によって使用される方法の手順を実行するように構成されてもよい。その具体的な動作手順の詳細はもはや説明しないので、方法の実施形態の説明を参照されたい。
【０１６２】
当業者であれば、方法の実施形態のステップの全部または一部が、関連するハードウェアに命令するプログラムによって実施され得ることを理解するであろう。プログラムは、コンピュータ可読記憶媒体に記憶されてもよい。プログラムが実行されると、方法の実施形態のステップが実行される。上記の記憶媒体は、プログラムコードを記憶することができる任意の媒体（ROM、RAM、磁気ディスク、または光ディスクなど）を含む。
【０１６３】
最後に、上記の実施形態は、本発明の技術的解決策を説明するためのものに過ぎず、本発明を限定するためのものではないことに留意されたい。本発明は、上記の実施形態を参照して詳細に説明されているが、当業者であれば、本発明の実施形態の技術的解決策の範囲から逸脱することなく、上記の実施形態で説明した技術的解決策をさらに修正することができる、またはその技術的特徴の一部または全部の同等の交換を行うことができることを理解するはずである。
【符号の説明】
【０１６４】
11  人の耳モデル
12  外耳道
13  前方音響空洞
14  内蔵スピーカ
41  イヤホンコネクタ
42  第1のイヤホン
43  第2のイヤホン
44  第1の検出ユニット
45  第2の検出ユニット
101  第1のオーディオデコーダ
102  第2のオーディオデコーダ
103  切替スイッチ
142  プロセッサ
411  第1のオーディオ出力端
412  第2のオーディオ出力端
413  第3のオーディオ出力端
421  第1のイヤホンの第1のオーディオ入力端
422  第1のイヤホンの第2のオーディオ入力端
431  第2のイヤホンの第1のオーディオ入力端
432  第2のイヤホンの第2のオーディオ入力端
1014  第4のオーディオ出力端
1015  第5のオーディオ出力端
1026  第6のオーディオ出力端
1027  第7のオーディオ出力端
1031  第1の入力端
1032  第2の入力端
1033  第3の入力端
1034  制御端
1035  出力端
【図１】
0006440863.tif 000002
【図２】
0006440863.tif 000003
【図３】
0006440863.tif 000004
【図４】
0006440863.tif 000005
【図５】
0006440863.tif 000006
【図６】
0006440863.tif 000007
【図７】
0006440863.tif 000008
【図８】
0006440863.tif 000009
【図９】
0006440863.tif 000010
【図１０】
0006440863.tif 000011
【図１１】
0006440863.tif 000012
【図１２】
0006440863.tif 000013
【図１３】
0006440863.tif 000014
【図１４】
0006440863.tif 000015
【図１５】
0006440863.tif 000016
【図１６】
0006440863.tif 000017